(57)【要約】【課題】押しボタン式の点検スイッチを備えた照明器具の点検に有用な点検具の提供。【解決手段】この点検具２は、点検スイッチを備えた照明器具を点検するための点検具２であって、本体部４と、この本体部４の上面５に突設された、上記照明器具の点検スイッチを押圧するための押圧用凸部６と、上記本体部４に装着された、上記照明器具の表面に付着しうる付着部８とを備えている。好ましくは、この付着部８が、マグネット部から構成されており、好ましくは、上記押圧用凸部６が柔軟性を有しており、好ましくは、上記本体部４が、透光性を有している。【選択図】図３
0003199229.tif 000002
【実用新案登録請求の範囲】
【請求項１】
点検スイッチを備えた照明器具を点検するための点検具であって、
本体部と、
この本体部の上面に突設された、上記照明器具の点検スイッチを押圧するための押圧用凸部と、
上記本体部に装着された、上記照明器具の表面に付着しうる付着部とを備えている点検具。
【請求項２】
上記付着部が、マグネット部又は吸盤から構成されている請求項１に記載の点検具。
【請求項３】
上記押圧用凸部が柔軟性を有している請求項１又は２に記載の点検具。
【請求項４】
上記本体部が、透光性を有している請求項１から３のいずれかに記載の点検具。
【請求項５】
上記本体部に、その側面から内部に向かう凹所、又は、一方の側面から他方の側面に貫通する貫通孔が形成されており、
上記本体部における、この凹所又は貫通孔の直下の層である下部層の幅が、凹所又は貫通孔の直上の層である上部層の幅より小さくされている請求項１から４のいずれかに記載の点検具。
【請求項６】
照明器具を点検するための点検具と、
この点検具を保持するための点検具保持具とを備えており、
この点検具保持具が、長尺のシャフト部と、このシャフト部の先端近傍に設けられた点検具保持部とを備えており、
上記点検具が請求項１から５のいずれかに記載の点検具である点検具セット。
【請求項７】
上記点検具が請求項５に記載の点検具であり、
上記点検具保持部が、上記点検具の凹所又は貫通孔に挿通されうる形状にされており、
この点検具保持部が、シャフト部の長手方向から屈曲している請求項６に記載の点検具セット。
【考案の詳細な説明】
【技術分野】
【０００１】
本考案は、照明器具の点検具に関する。詳しくは、非常用照明器具の機能点検を行うに適した点検具に関する。
【背景技術】
【０００２】
建造物には、法令に従い、非常用照明器具が設置されるものがある。非常用照明器具の多くは天井に設置される。非常用照明器具は蓄電池を内蔵している。非常用照明器具の下面には、下方を照明する光源、この光源を点検するために点灯させる点検スイッチ、及び、充電モニター（モニターランプ）が露出している。この非常用照明器具は、常時、外部電源（商用電源）によってその蓄電池が充電されている。非常用照明器具は、停電等によって外部電源からの電力供給が遮断されたとき、これを検知して、自己の蓄電池の回路に接続して上記光源を点灯（非常時点灯ともいう）させる。
【０００３】
この非常用照明器具に対して、定期的に外観点検及び機能点検が行われる。充電モニターは、蓄電池の充電状態を確認するためのものである。蓄電池の充電が完了しているときには、この充電モニターが点灯している。充電モニターは、下方から見上げることにより、その点灯状態を視認することができる。上記点検スイッチは、上記外部電源遮断からの電源供給を遮断することにより、停電を模擬した状態を作り出す。こうして、上記蓄電池によって上記光源が規定時間点灯しうるか否かが点検される。このため、点検スイッチは、規定時間ＯＮの状態にされる必要がある。規定時間とは、法令に基づいた、例えば３０分間以上である。
【０００４】
点検スイッチは、押しボタンスイッチから構成されているものが多い。この押しボタンスイッチは、押圧されているときにＯＮの状態であり、押圧力が解除されるとＯＦＦの状態になる。点検者は、天井高さにあるこの点検スイッチを、３０分間以上という長時間押し続ける必要がある。
【考案の概要】
【考案が解決しようとする課題】
【０００５】
本考案は、かかる現状に鑑みてなされたものである。本考案は、上記したような非常用照明器具に対しても着脱が容易であり、点検者の手を煩わせることなく、点検スイッチのＯＮ状態を所望の時間維持することのできる点検具の提供をその目的としている。
【課題を解決するための手段】
【０００６】
本考案に係るの点検具は、
点検スイッチを備えた照明器具を点検するための点検具であって、
本体部と、
この本体部の上面に突設された、上記照明器具の点検スイッチを押圧するための押圧用凸部と、
上記本体部に装着された、上記照明器具の表面に付着しうる付着部とを備えている。
【０００７】
好ましくは、上記付着部が、マグネット部又は吸盤から構成されている。
【０００８】
好ましくは、上記押圧用凸部が柔軟性を有している。
【０００９】
好ましくは、上記本体部が、透光性を有している。
【００１０】
好ましくは、上記本体部に、その側面から内部に向かう凹所、又は、一方の側面から他方の側面に貫通する貫通孔が形成されており、
上記本体部における、この凹所又は貫通孔の直下の層である下部層の幅が、凹所又は貫通孔の直上の層である上部層の幅より小さくされている。
【００１１】
本考案に係るの点検具セットは、
照明器具を点検するための点検具と、
この点検具を保持するための点検具保持具とを備えており、
この点検具保持具が、長尺のシャフト部と、このシャフト部の先端近傍に設けられた点検具保持部とを備えており、
上記点検具が、前述したうちのいずれかの点検具である。
【００１２】
好ましくは、上記点検具が、前述した凹所又は貫通孔を備えた点検具であり、
上記点検具保持部が、上記点検具の凹所又は貫通孔に挿通されうる形状にされており、
この点検具保持部が、シャフト部の長手方向から屈曲している。
【考案の効果】
【００１３】
この点検具によれば、照明器具に対して着脱が容易であり、点検者の手を煩わせることなく、点検スイッチのＯＮ状態を所望の時間維持することができる。
【図面の簡単な説明】
【００１４】
【図１】図１（ａ）は、点検対象の一例である非常用照明器具と、この非常用照明器具に取り付けられんとする本考案の一実施形態に係る点検具とを示す一部切り欠き正面図であり、図１（ｂ）は、上記非常用照明器具の底面図である。
【図２】図２（ａ）は、図１のＩＩ部の拡大図であり、図２（ｂ）は、点検具が非常用照明器具に付着した後を示す図１のＩＩ部に相当する拡大図である。
【図３】図３（ａ）は、図１の点検具を示す正面図であり、図３（ｂ）は、その平面図であり、図３（ｃ）は、その底面図である。
【図４】図４（ａ）は、図３（ａ）におけるＩＶＡ−ＩＶＡ線に沿って見た断面図であり、図４（ｂ）は、図３（ａ）におけるＩＶＢ−ＩＶＢ線に沿って見た断面図である。
【図５】図５は、図１の点検具と、この点検具を保持するための点検具保持具の要部とを示す斜視図である。
【考案を実施するための形態】
【００１５】
以下、適宜図面が参照されつつ、好ましい実施形態に基づいて本考案が詳細に説明される。
【００１６】
図１（ａ）には非常用照明器具（単に照明器具ともいう）５２と、この非常用照明器具５２の機能点検に使用されうる点検具２とが示されている。非常用照明器具５２は、有底円筒状の容器５４と、この容器５４の開口端を封じる蓋５６とを有している。容器５４には、ＬＥＤからなる非常灯５８、蓄電池６０、点検スイッチ６２及び充電モニター（モニターランプ）６４が内蔵されている。蓋５６には、非常灯５８を露出させるための非常灯用窓６６、点検スイッチ６２を露出させるためのスイッチ用窓６８、及び、充電モニター６４を露出させるためのモニター用窓７０が設けられている。
【００１７】
この非常用照明器具５２は、その蓋５６側を下方に向けて、天井板７２に装着されている。この非常用照明器具５２では、常時、外部電源（商用電源）によってその蓄電池６０が充電されている。充電モニター６４は、蓄電池６０の充電状態を確認するためのものである。この非常用照明器具５２では、停電等によって外部電源からの電力供給が遮断されたとき、これが検知され、蓄電池６０の回路に接続されて上記非常灯５８が点灯（非常時点灯）する。
【００１８】
点検スイッチ６２がＯＮにされることにより、停電を模擬した状態が作り出される。この模擬停電時に、蓄電池６０によって非常灯５８が規定時間点灯しうるか否かが確認され縷々。点検スイッチ６２は、押しボタンスイッチから構成されている。この点検スイッチ６２は、押圧されているときにＯＮの状態であり、押圧力が解除されるとＯＦＦの状態になる。この点検スイッチ６２をＯＮにし、このＯＮ状態を保持するのが上記点検具２である。この点検具２には、点検スイッチ６２を押圧するための、後述する押圧用凸部６が形成されている。
【００１９】
図２に示されるように、点検具２は、非常用照明器具５２に下方から接近させられる（図２（ａ））。点検具２は、その押圧用凸部６が点検スイッチ６２に位置合わせされた状態で、蓋５６に付着させられる（図２（ｂ））。この点検具２の付着により、押圧用凸部６が点検スイッチ６２を押してＯＮの状態にし、このＯＮ状態を保持する。
【００２０】
図３及び図４には、点検具２が示されている。図３（ａ）は点検具２の正面図であり、図３（ｂ）は平面図であり、図３（ｃ）は底面図である。図４（ａ）は図３（ａ）におけるＩＶＡ−ＩＶＡ線断面図であり、図４（ｂ）は図３（ａ）におけるＩＶＢ−ＩＶＢ線断面図である。この点検具２は、本体部４を有している。この本体部４は、長方形板状を呈しているが、かかる形状には限定されない。図３（ａ）において、その上下方向を本体部４の厚さ方向と呼び、左右方向を本体部４の長手方向と呼び、図３（ｂ）において、その上下方向を本体部４の幅方向と呼ぶ。本体部４は、平面状の上面５を有している。本体部４は、透明、半透明等の透光性を有する材料から形成されるのが好ましい。材料としては、例えば、透明のアクリル樹脂等の合成樹脂である。本体部４が上記非常灯用窓６６を塞いだときでも、非常灯５８の光を透過させるためである。
【００２１】
本体部４の上面５の中央部には、押圧用凸部６が突設されている。押圧用凸部６は、前述した通り、照明器具５２の点検スイッチ６２を押圧するためのものである。本実施形態では、押圧用凸部６は部分球状を呈しているが、かかる形状には限定されない。押圧用凸部６は、円柱状、角柱状、円錐状、角錐状等であってもよい。押圧用凸部６の、本体部４の上面５からの高さは、照明器具５２の蓋５６の表面から、押圧されてＯＮとなった点検スイッチ６２の先端面までの深さに応じて決定される。押圧用凸部６は、前述のスイッチ用窓６８を通過し得る大きさ、及び、点検スイッチ６２のＯＮ操作に必要なストロークを可能にし得る高さを有している。
【００２２】
押圧用凸部６は、上記本体部４と同様に、透光性材料から形成されるのが好ましい。また、押圧用凸部６は、適度な柔軟性を有する材料から形成されるのが好ましい。材料としては、例えば、ゴム、軟質合成樹脂等である。これは、押圧対象である点検スイッチ６２等の損傷の防止するため、点検具２の照明器具５２への安定した付着に対する阻害を回避するため等である。この押圧用凸部６としては、いわゆる「戸当たりクッション」が好適である。戸当たりクッションとは、室内の壁面のうち、ドアの取っ手等と当接しうる部位に取り付けられる小さいクッション材である。
【００２３】
本体部４には、照明器具５２の表面に付着するための付着部８が設けられている。本実施形態では、付着部８として、マグネット８が用いられている。これは、照明器具５２の耐火性の向上のため、その容器５４及び蓋５６が鉄板から成形されることが多いからである。図３及び図４に示されるように、本実施形態におけるマグネット８は、入手が容易な円筒形のマグネットであるが、円筒形には限定されない。板状等であってもよい。このマグネット８は、本体部４における、押圧用凸部６を挟んだ長手方向両側それぞれに埋設されている。マグネット８の端面は、本体部４の上面５と面一状態、上面５よりわずかに凹んだ状態、又は、上面５よりわずかに突出した状態で露出している。円筒状マグネット８又は円柱状マグネットの場合、本体部４の上面５から円柱状の装着穴を形成し、この装着穴の中に接着剤によって固着する、という容易な方法によって装着可能である。
【００２４】
付着部８は、マグネットには限定されない。付着部として、吸盤が用いられてもよい。吸盤は、一般的に、軟質合成樹脂、ゴム等から、薄肉の部分球面状に形成されている。吸盤からなる付着部であれば、照明器具５２の蓋５６がアルミニウム合金製、合成樹脂製であっても、点検具２の付着が可能となる。しかし、押圧用凸部６の高さを高くする必要があるであろう。
【００２５】
図３及び図４に示されるように、本体部４には、貫通路（貫通孔）１０が形成されている。この貫通路１０の横断面は、図３（ａ）から明らかなように、高さが小さく幅が広い矩形を呈している。貫通路１０は、本体部４の上面５に平行にされている。貫通路１０はスリットとも呼ばれる。このスリット１０には、後述する図５の点検具保持具２０の点検具保持部（以下、単に保持部という）２４が挿通される。このスリット１０は、点検具保持具２０によって点検具２を保持するためのものである。このスリット１０は、いわば被保持部と言える。本実施形態では、このスリット１０は、長方形の本体部２を、その幅方向に貫通しているが、これには限定されず、長手方向に貫通したものであってもよい。また、この貫通路１０に代えて、本体部２を貫通しない凹所を採用し得る。しかし、貫通路１０は、その両側から上記保持部２４を挿通しうるので便利である。
【００２６】
図５には、点検具２とともに、点検具保持具２０の要部が示されている。照明器具５２は、天井に設置されているため、通常は点検者の手が届かない。そこで、長尺の点検具保持具２０の先端に点検具２を保持させ、これを上方に延ばして、照明器具５２に付着させる。点検終了後には、点検具保持具２０を上方に延ばし、点検具２を保持した上で、これを照明器具５２から取り外す。点検者は、点検具２と点検具保持具２０とを点検具セットとして携帯するのが好ましい。
【００２７】
点検具保持具２０は、シャフト部２２と、このシャフト部２２の先端に装着された保持部２４とを有している。シャフト部２２は、棒材、管材等から形成されている。シャフト部２２は、図示されていないが、携帯容易とするために、長手方向に伸縮しうる、いわゆる入れ子式（テレスコピックともいう）に構成されてもよい。
【００２８】
保持部２４は、シャフト部２２の長手方向に対してほぼ直角に延在している。しかし、特に直角には限定されない。保持部２４は、点検具２のスリット１０に挿通しうる平板状に形成されている。すなわち、この保持部２４の厚さは、スリット１０の高さより小さく、保持部２４の幅は、スリット１０の幅より小さい。この保持部２４は、図示の通り、長円形の平面視形状を有しているが、かかる形状には限定されない。しかし、保持部２４の先端に向けてその幅が狭くされているのが好ましい。保持部をスリット１０に挿通しやすいからである。平板状の保持部２４が、スリット１０に挿入された状態では、点検具２は、点検具保持具２０に対して回転することなく、安定して保持されうる。
【００２９】
図３（ｃ）に示されるように、上記点検具２の本体部４における、スリット１０の直下の層（以下、下部層という）１２の平面視形状は、それより上方の層（上部層という）１４の平面視形状とは異なる。上部層１４は、一定幅の長方形を呈しているが、下部層１２の幅は、長手方向中央に向けて漸減している。換言すれば、下部層１２の両側縁が、長手方向中央に向けて互いに接近している。下部層１２の両側縁は円弧状を呈し、上部層１４の側縁より内側に凹んでいる。かかる形状の点検具２では、そのスリット１０に点検具保持具２０の保持部２４を挿通しやすい。天井の照明器具５２に付着している点検具２のスリット１０に、その下方から保持部２４を挿通する際、保持部２４を上部層１４の下面に当接させつつスリット１０内に装入することができるからである。これにより、点検終了後の点検具２の取り外し作業が容易となる。下部層の幅は、長手方向に沿って一定であり、且つ、上部層１４の幅より小さくされていてもよい。
【００３０】
点検具保持具の保持部の形状は、平板状には限定されない。保持部は、例えば、金属製、合成樹脂製等の棒材がＵ字状に湾曲されたものであってもよい。この場合、Ｕ字の底となる部位が、保持部の先端側となる。そして、Ｕ字の幅が、点検具２のスリット１０の幅よりわずかに小さくされ、棒材の太さがスリット１０の高さより小さくされる。このＵ字状の保持部は、スリット１０内に安定して収まる。また、保持部は、二本の棒材が、スリット１０の幅より小さい間隔をあけて突出した形状であってもよい。すなわち、像の牙が真っ直ぐ突出したような形状であってもよい。この二本の棒材は、互いに平行でもよく、先端に向けて互いに接近するように突出していてもよい。この保持部も、スリット１０内に安定して収まる。
【００３１】
上記平板状の保持部２４に代えて、点検具を挟みうるハサミ形状のものを採用してもよい。このハサミを、シャフト部２２の基端側で開閉操作しうるようにしてもよい。この場合、点検具２にスリット１０が不要となる。しかし、スリット１０内に挿通しうる平板状の保持部２４のほうが、点検具２の把持が容易且つ安定しているので好ましい。
【産業上の利用可能性】
【００３２】
この点検具は、押しボタン式の点検スイッチを備えた照明器具の機能点検に有用である。
【符号の説明】
【００３３】
２・・・点検具
４・・・本体部
５・・・（本体部の）正面
６・・・押圧用凸部
８・・・付着部（マグネット）
１０・・・貫通路（スリット）
１２・・・（本体部の）下部層
１４・・・（本体部の）上部層
２０・・・点検具保持具
２２・・・シャフト部
２４・・・保持部
５２・・・非常用照明器具
５４・・・容器
５６・・・蓋
５８・・・非常灯
６０・・・蓄電池
６２・・・点検スイッチ
６４・・・充電モニター
６６・・・非常灯用窓
６８・・・スイッチ用窓
７０・・・モニター用窓
７２・・・天井板
【図１】
0003199229.tif 000003
【図２】
0003199229.tif 000004
【図３】
0003199229.tif 000005
【図４】
0003199229.tif 000006
【図５】
0003199229.tif 000007